(57)【特許請求の範囲】
【請求項１】
１コマ毎の画像をそれぞれ表わす各画像ファイルと上記１コマ毎の画像に各対応する各音声ファイルとが記録された情報記録媒体が適用されているときには、当該情報記録媒体から、上記各画像ファイルまたは各音声ファイルのうちの一のものを消去するための第１のモードによる情報消去、または、上記各画像ファイルと各対応する音声ファイルとを一括して消去するための第２のモードによる情報消去、を実行するための情報消去手段と、
画像記録再生手段と、
上記画像記録再生手段によって以前に撮影したときの撮影情報と画像情報とが記録された情報記録媒体が適用されているときには、撮影対象を撮影する場合、当該画像情報を参照することにより、その時の撮影情報を選択する撮影情報選択手段と、
当該選択された撮影情報に基づいて、上記画像記録再生手段に撮影条件を設定する撮影条件設定手段と、
を備えたことを特徴とする情報取り扱い装置。
【発明の詳細な説明】
【技術分野】
【０００１】
本発明は、情報取り扱い装置、詳しくは、主情報領域と管理情報領域とが形成された情報記録媒体に情報を記録、または、再生可能な情報取り扱い装置に関するものである。
【背景技術】
【０００２】
ＤＯＳ（ＤＩＳＫ ＯＰＥＲＡＴＩＯＮ ＳＹＳＴＥＭ）を適用する情報取り扱い装置である画像情報記録再生装置等に適用される情報記録媒体であるＩＣメモリカードは、図８に示すようなメモリ領域の構成を有している。
【０００３】
上記メモリカードは、アトリビュートメモリとコモンメモリで構成され、コモンメモリは、属性情報領域と、メモリ管理領域１００と、主情報領域であるデータ領域１０４とで構成されている。上記属性情報領域は、各装置に対しては変更されない固定データが書き込まれている。上記メモリ管理領域１００は、第１の管理情報領域であるブートセクタ１０１と、第２の管理情報領域であるＦＡＴ情報領域１０２と、同じく第２の管理情報領域であるディレクトリエントリ領域１０３とで構成されている。また、データ領域１０４には画像等のデータが記録される。
【０００４】
上記ブートセクタ１０１には、当該メモリカードの論理的なセクタ長，トラック数，１トラック当たりのセクタ数等が記録される。図９は、該ブートセクタ１０１のフォーマットの内容を示す図である。また、上記ＦＡＴ情報領域１０２には、データ領域１０４のメモリ領域情報がチェーン形式で記録され、ディレクトリエントリ領域１０３には、データ領域１０４にデータがどのように記録されているか、あるいは、該データファイルの属性情報等が書き込まれている。
【０００５】
未使用のメモリカード、または、データの書き込みが行われた使用済みメモリカードを、データ記録可能な状態にする初期化処理として、１つは、メモリカード内のデータを全て消去し、メモリチェックを行い、更に、ブートセクタ等が書き込まれる初期化フォーマット処理と、他の１つは、ディレクトリエントリとＦＡＴのみを消去する全コマ消去処理とがある。そして、上記初期化フォーマット処理は、全メモリ領域のデータを初期化することから長い処理時間、例えば、１分間位を必要とするが、上記全コマ消去処理は、管理情報の書き換えのみで済むことから比較的短時間、例えば、約１５秒で初期化が完了する。
【０００６】
情報記録再生装置等での上記初期化処理において、処理時間を短縮可能なものとして、図１０のフローチャートに示す方式が考えられる。本処理においては、まず、ブートセクタを読み込み（ステップＳ１０１）、該ブートセクタ情報が当該装置に対して適合しているかをチェックする（ステップＳ１０２）。該ブートセクタ情報が不適合であった場合は、前記初期化フォーマット処理を実行する（ステップＳ１０５）。また、該ブートセクタ情報が適合するものであった場合は、ディレクトリエントリの消去とＦＡＴの初期化を実行し（ステップＳ１０３，Ｓ１０４）、初期化を終了する。このようにしてメモリカードのブートセクタ情報が装置に対して適合しているものに対する初期化では、フォーマットによる長い時間待ちを無くすことができる。
【０００７】
ところで、一般に、この種の装置では適用された情報記録媒体への情報の記録に係って多様な機能を保有し且つ操作性や利便性の向上が計られるようにすべく種々の提案がなされている。
【０００８】
こうした状況にあって、この種の装置では情報記録媒体に記録された情報を消去する場合についても、そのときの操作性や利便性の向上が望まれ、このようなニーズに十全に応えきれる装置は未だ提案されていないといった一つの問題が認識される。
【０００９】
また一方、この種の装置の撮影機能部で撮影対象を撮影する場合、マニュアル撮影であれオート撮影であれ、その撮影環境に最適な撮影条件が、その都度設定されて行われる。しかしながら、従来は、撮影条件を決めるシャッタスピード，露出情報，ＷＢ（ホワイトバランス）情報，色調整情報，フォーカス段数情報，ストロボ感光情報等の撮影情報は、記録媒体に記録されず、既に撮影した画像がどのような撮影条件で撮影されたかを知ることができないというもう一つの問題が認識される。
【発明の開示】
【発明が解決しようとする課題】
【００１０】
本発明は、上述した一つの問題に鑑みて、特に、１コマ毎の画像をそれぞれ表わす各画像ファイルと上記１コマ毎の画像に各対応する各音声ファイルとが記録された情報記録媒体が適用されたときに、これら記録された情報の消去に関して操作性や利便性の向上が図られるようにしたこの種の情報取り扱い装置を提供することを一の課題とするものである。
【００１１】
更に、本発明は、上述したもう一つの問題に鑑みて、記録媒体に画像情報と共にその時の撮影情報を記録でき、その撮影情報を利用して画像記録再生装置の撮影条件を設定できる情報取り扱い装置を提供することを他の一の課題とするものである。
【課題を解決するための手段】
【００１２】
本発明の情報取り扱い装置は、上述のような二つの課題を共に解決するべく、１コマ毎の画像をそれぞれ表わす各画像ファイルと上記１コマ毎の画像に各対応する各音声ファイルとが記録された情報記録媒体が適用されているときには、当該情報記録媒体から、上記各画像ファイルまたは各音声ファイルうちの一のものを消去するための第１のモードによる情報消去、または、上記各画像ファイルと各対応する音声ファイルとを一括して消去するための第２のモードによる情報消去、を実行するための情報消去手段と、画像記録再生手段と、上記画像記録再生手段によって以前に撮影したときの撮影情報と画像情報とが記録された情報記録媒体が適用されているときには、撮影対象を撮影する場合、当該画像情報を参照することにより、その時の撮影情報を選択する撮影情報選択手段と、当該選択された撮影情報に基づいて、上記画像記録再生手段に撮影条件を設定する撮影条件設定手段と、を備えたことを特徴とする。
【発明の効果】
【００１３】
本発明によれば、１コマ毎の画像をそれぞれ表わす各画像ファイルと上記１コマ毎の画像に各対応する各音声ファイルとが記録された情報記録媒体について、第１のモードによる情報消去によって上記各画像ファイルまたは各音声ファイルうちの一のものを消去し、また、第２のモードによる情報消去によって上記各画像ファイルと各対応する音声ファイルとを一括して消去することができるため、これら記録された情報の消去に関して操作性や利便性の向上が図られる。更にまた、以前に撮影したときの撮影情報及び画像情報を記録する記録媒体に記録された画像情報を参照することにより、その時の撮影情報を選択する撮影情報選択手段と、その選択された撮影情報に基づいて、画像記録再生装置に撮影条件を設定する撮影条件設定手段とを備えているので、記録媒体に画像情報と共にその時の撮影情報を記録でき、その撮影情報を利用して画像記録再生装置の撮影条件を設定できるという便宜が図られる。
【発明を実施するための最良の形態】
【００１４】
以下、本発明の実施の形態を図に基づいて説明する。
【００１５】
図１ないし図３は、本発明の一実施例を示す情報取り扱い装置の電子スチルカメラのブロック構成図と外観図である。
【００１６】
なお、本実施例の電子スチルカメラは、ＩＣメモリカードを情報記録媒体として適用するものであり、その構成を信号の流れに沿って上記図１のブロック構成図を参照して説明する。
【００１７】
記録モードにおいて、光学系１を介して入射した被写体の光学像は、その結像面に配設されたＣＣＤ等で構成される撮像系２によってアナログの電気信号に変換される。この撮像系２から出力された撮像信号は、クランプ回路３によってＤＣレベルを一定に保たれた後、アナログ／ディジタル変換回路（以下、Ａ／Ｄ変換回路と略記する。）４によってディジタル信号に変換され、フレームメモリ６に書き込まれて一時的に保管される。
【００１８】
フレームメモリ６への書き込みが全て終わると、次に、メモリコントローラ５のコントロールによりフレームメモリ６からデータを読み出して、離散型コサイン変換回路（以下、ＤＣＴ／ＩＤＣＴと記載する。）７においてデータ圧縮に必要なデータ変換を行い、コーダ／デコーダ８へ出力する。このコーダ／デコーダ８のコーダ部では、圧縮処理を施すために必要な各種のデータやテーブルが書き込まれている補助メモリ９を参照しながら、該映像データを圧縮処理する。そして、圧縮されたデータは、データバス２０を通って該電子スチルカメラに着脱可能に取り付けられた情報記録媒体たるＩＣメモリカード１０に書き込まれる。
【００１９】
なお、上記記録モードにおいて、撮像系２のホワイトバランス調整時等での出力信号のゲインは、システムコントローラ１９を介してコントロールされ、また、光学系１の絞りもシステムコントローラ１９を介してコントロールされる。そして、該システムコントローラ１９には、後述する管理情報判別手段と、管理情報の初期化手段と、管理情報復元手段等が内蔵されている。
【００２０】
次に、上述のように記録した映像データを再生する場合の信号の流れに沿って、該電子スチルカメラについての説明を続ける。
【００２１】
上記ＩＣメモリカード１０から読み出されたデータは、データバス２０を通ってコーダ／デコーダ８に入力され、該コーダ／デコーダ８のデコーダ部において上記圧縮処理されたデータを元に戻す伸長処理が施される。この伸長されたデータは、ＤＣＴ／ＩＤＣＴ回路７において逆ＤＣＴ処理されてフレームメモリ６に書き込まれる。全てのデータの伸長処理が終了すると、今度はフレームメモリ６からデータがメモリコントローラ５のコントロールによって読み出されて、その出力がディジタルプロセス１１によって例えばＮＴＳＣに準拠したビデオ信号に変換処理される。そして、Ｄ／Ａ（ディジタル／アナログ）変換回路１２によってアナログ信号に変換されて、バッファ１３により例えば７５Ωインピーダンス整合をとられた後に、電子ビューファインダ（以下、ＥＶＦと略記する）１４において撮影者に観察可能に画像が再生される。そしてこれと同時に、該ビデオ信号は外部への映像出力端子１５へ出力されるようになっている。
【００２２】
該電子スチルカメラは、日付けや時刻等の文字情報を生成して画面上にオンスクリーン表示を行うキャラクタジェネレータ１６と、各種の動作モード等を表示するＬＣＤ表示部１７と、各種の操作を行う操作部１８とを有している。そして、上述の各構成要素は、システムコントローラ１９により制御されるようになっている。また、本カメラは、各種のマニュアル操作が可能であるが、そのときの設定値を設定用メモリ２１に記憶しておき、以後の操作時に該設定値を呼び出すことによって、同一の操作を再現することができる。
【００２３】
なお、上記ＩＣメモリカード１０等の記録媒体に記録するときには、例えば、パソコン上で認識可能なフォーマット、具体的には後述するＤＯＳフォーマットに変換して記録するようになっている。
【００２４】
次に、上記操作部１８等の配置について詳述する。
【００２５】
図２および図３の本実施例の電子スチルカメラの外観図には、上記操作部１８等の配設状態が示されている。なお、図２は、該カメラの平面図、また、図３は、図２のＡ矢視図であって、同カメラの接眼部より見た図である。
【００２６】
図２に示すように、該カメラ本体上面の中央部には、上述したＬＣＤ表示部４８が配設されており、後述する各操作等の表示がなされるようになっている。該ＬＣＤ表示部４８の一側方には、テレ，ワイドモード選択用のズームスイッチ（以下、ＺＯＯＭスイッチと記載する）Ｔ３１，Ｗ３２が配設されている。
【００２７】
また、上記ＺＯＯＭスイッチＴ３１，Ｗ３２の図中、下方にはアップスイッチ（以下、ＵＰスイッチと記載する）３３，ダウンスイッチ（以下、ＤＯＷＮスイッチと記載する）３４が配設されている。これらのスイッチ３３，３４は、該カメラが記録モード時にあるときには、モードの調整、たとえば、ホワイトバランスの微調整，シャッタースピードの変更，露出補正値の変更，パワーフォーカスのフォーカシング等に使用され、また、再生モード時には、コマ送り、コマ戻しに使用されるようになっている。
【００２８】
次に、図２において、上記ＬＣＤ表示部４８の下方に配設されている前記操作部１８を構成する操作スイッチ群の機能について説明する。
【００２９】
図中、ホワイトバランススイッチ（以下、ＷＢスイッチと記載する）３５は、記録モード時に、ホワイトバランスモードの変更に使用される。
【００３０】
以下、ビューイレーズスイッチ（以下、ＶＩＥＷ ＥＲＡＳＥスイッチ、または、ＥＲＡＳＥスイッチと記載する）３６は、記録モード時には、押している間だけ直前に記録された画像が再生され、再生モード時には、コマ消去スイッチとして使用される。
【００３１】
また、＋／−スイッチ３７は、記録モード時に、露出モードの変更に使用される。フォーカススイッチ（以下、ＦＯＣＵＳスイッチと記載する）３８は、記録モード時に、オートフォーカスあるいはパワーフォーカスのフォーカスモードの変更に使用される。
【００３２】
ストロボスイッチ（以下、ＳＴスイッチと記載する）３９は、記録モード時に、ストロボモードの変更に使用される。ピクチャースイッチ（以下、ＰＩＣＴＵＲＥスイッチ）４０は、記録モード時に、色合い，色濃さ等の変更に使用される。再生モードでは、メモリカードの画像データの設定に使用される。ドライブスイッチ（以下、ＤＲＩＶＥスイッチと記載する）４１は、記録モード時には、記録スピードモードの変更に使用され、再生モード時には、再生スピードの変更に使用される。
【００３３】
モードスイッチ（以下、ＭＯＤＥスイッチと記載する）４２は、記録モード時に、圧縮モード，非圧縮モードの変更に使用される。再生モードでは外部端子より出力されるビデオ信号にキャラクタ表示信号を重畳するオンスクリーンモードの指示等に利用される。タイムスイッチ（以下、ＴＩＭＥスイッチと記載する）４３は、時間の設定やブザーのオンオフ操作に使用される。パワースイッチ（以下、ＰＯＷＥＲスイッチと記載する）４４は、本実施例のカメラのパワーオン・オフ操作に使用される。トリガスイッチ４５は、撮影動作を指示するのに使用される。
【００３４】
上記各操作スイッチ群のさらに下方の、カメラ本体縁部には、記録モードと再生モードの切り換え、または、画像伝送時の送信モードと受信モードとの切り換えに使用するＣＡＭＥＲＡ／ＰＬＡＹ切り換えスイッチ４６と、記録モード時に、フルオート撮影モードとマニュアル撮影モードとの切り換え、または、該カメラを伝送モードに設定するためのＡＵＴＯ／ＭＡＮＵＡＬ切り換えスイッチ４７とが配設されている。また、カメラ本体の手前側側面には、該カメラの前記ＥＶＦ１４のための接眼部４９が配設されている。
【００３５】
次に、本実施例のカメラにおけるＷＢ（ホワイトバランス）調整について説明する。
【００３６】
本実施例のカメラでは、ＷＢ微調整処理として、ＷＢ補正点を１つの軸上で設定できるようにして、より容易なＷＢの手動の微調整処理を可能とするものである。
【００３７】
即ち、この手動ＷＢ微調整の方法は、上記図１４のカラーベクトル平面の１つの傾斜した軸であるＩ軸に沿って、（Ｒ-Ｙ）と（Ｂ-Ｙ）の各成分の値をＷＢ補正中心として設定する。なお、上記Ｉ軸は、黒体の色温度の変化に沿った黒体軌跡を示す線であって、このＩ軸に沿ってＷＢ補正中心を移動させるようにすれば、それぞれ適正なＷＢ調整ができる。
【００３８】
そして、本実施例ではＷＢ微調整を行う場合、上記Ｉ軸の傾斜データをメモリに記憶しておき、まず、補正調整点として、図１４の晴れているときの点Ｐ０、または、曇のときの点Ｐ１、または、夕焼けときの点Ｐ２の何れかを選択する。更に、それぞれのポイントにおいてＷＢ調整手段（尚、ＷＢ調整手段としては、システムコントローラ及びメモリの一部も含まれる）としてのＵＰ／ＤＯＷＮスイッチ３３，３４を操作して、上記Ｉ軸の傾斜に沿ってＷＢ補正中心を移動し、ＷＢの微調整を行う。
【００３９】
このように本実施例のカメラにおけるＷＢ微調整は簡単な操作で行うことができ、また、この調整を行うことによって、使用者が所望する微妙な色あいでの撮影を行うことができる。さて、従来の上記図１０の初期化処理において、消去動作の途中でメモリカードが引き抜かれたり、装置の電源が切られてしまうと、ブートセクタは正常な状態で書き込まれ、また、ディレクトリエントリも消去されているが、ＦＡＴの消去が完了していない状態でメモリカードが取り出されることも有り得る。
【００４０】
通常、メモリカードにおいては、ＦＡＴの各データが「０」である範囲の大きさによりその空き容量を判別する。従って、上述のようにＦＡＴの消去が完了していないものでは、その分だけ小容量であると判別されてしまう。
【００４１】
なお、現在検索しているファイルからＦＡＴデータのチェーンを追跡して行けば、正規のＦＡＴと異常なＦＡＴとの区別がつくので、修正することは可能であるが、例えば、カメラ等の画像記録再生装置等でそこまでのチェック処理をメモリカードの挿入の度に実行することは不適当である。このようなチェック処理は、パソコン等においても、単独のチェックコマンドで実行される程度であって、通常の操作時には行われていない処理である。
【００４２】
そこで、本実施例では、情報記録媒体の初期化の敏速な処理が可能であって、情報記録媒体の正常な初期化処理が実行されなかった場合であっても、その後、上記記録媒体の取り扱い上、不都合が生じることなく、また、正常な初期化を行うことができるようにしている。
【００４３】
本実施例のカメラにおける、メモリカード１０の初期化処理について、図４のサブルーチンのフローチャートにより説明する。
【００４４】
ＥＲＡＳＥスイッチ３６とＵＰスイッチ３３を押圧して、カメラを初期化モードに設定し、そこで、トリガスイッチ４５を押圧するとメモリカード１０の上記初期化処理が開始される。
【００４５】
まず、第１管理情報領域のブートセクタを読み込み（ステップＳ１）、管理情報判別手段により、該ブートセクタ情報が当該装置に対して適合するものであるかをチェックする（ステップＳ２）。該ブートセクタ情報が不適正であった場合は、ブートセクタ以下の管理領域、即ち、ブートセクタの第１の管理領域とＦＡＴ、および、ディレクトリエントリの第２の管理領域と、主情報記憶領域であるデータ領域のデータを全て初期化するフォーマット処理を実行する（ステップＳ７）。
【００４６】
また、該ブートセクタ情報が当該装置に適合するものの場合は、管理情報初期化手段により、一旦、上記ブートセクタを変更し、ブートセクタ情報が適正でない状態にして（ステップＳ３）、ディレクトリエントリの消去とＦＡＴの初期化を実行する（ステップＳ４，Ｓ５）。その後、管理情報復元手段により、上記ブートセクタを元に戻し、適合するブートセクタとし（ステップＳ６）、初期化を終了する。
【００４７】
前述したように図１０に示した従来のメモリカードの初期化処理の場合、消去の途中でカードが引き抜かれてしまうと、ブートセクタは正常であるが、ディレクトリエントリとＦＡＴ間が不整合状態となる。そのようなカードをカメラに挿入すると、記録可能なデータ領域が極端に狭められた状態で使用するか、あるいは、記録不可能といった状態になった。
【００４８】
しかし、本実施例のカメラにおいては、上記初期化処理を行うことにより、もし、処理の途中で引き抜かれたメモリカード１０は、ブートセクタが該当する装置に適合するデータではないので、カメラに挿入しても使用できない状態になっており、記録等での不具合が生じない。また、そのカードを、再度、初期化すると、ブートセクタが適正なものではないことから、必ず上記図４におけるステップＳ７のフォーマットによる初期化が行われる。
【００４９】
本実施例のカメラにおいては、上記自動判別による初期化とは別に、強制的に上記ステップＳ７のフォーマットを実行することも可能である。この処理は、ＥＲＡＳＥスイッチ３６とＤＯＷＮスイッチ３４を押圧することによって、上記強制的初期化モードに設定し、そこで、トリガスイッチ４５を押圧すると、メモリカード１０の上記強制的に管理領域とデータ領域の双方のフォーマット処理が開始される。
【００５０】
なお、メモリカード１０の初期化処理において、該初期化処理の途中で記録されたデータを保存しておく必要がわかったような場合、従来では上記初期化動作を中断しても上記データを再生することはできなかった。そのような場合でも、該当するデータに対応するディレクトリエントリとＦＡＴがまだ消去されていなければ、再生が可能であるとする変形例を提案することができる。
【００５１】
この変形例における初期化処理では、図９に示すブートセクタにおいて、データ処理に直接関係のないエリア、例えば、メーカ名、および、バージョン番号のエリアにチェック用のフラグを書き込んでおく。その場合、他のブートセクタの変更はしない。そして、上述のような理由で初期化を中断した場合、そのメモリカードを引き抜いて、パソコンに挿入することによって、データの再生を行うことができる。即ち、パソコン上で上記フラグをチェックして消去中のデータの再生モードに設定し、まだ消去されていないデータの範囲であれば、復活させることができる。
【００５２】
以上のように、本実施例では、情報記録媒体を主情報の未記録、または、未記録と同等な状態に初期化する場合、第１の管理情報領域の管理情報を判別し、第１の管理情報領域の管理情報が該当する情報取り扱い装置に適合しているときは、一旦、上記第１の管理情報領域に適合しない管理情報を記録して、第２の管理情報領域を初期化し、その後、第１の管理情報領域に適合した元の管理情報を書き込むようにしたので、情報記録媒体の正常な初期化処理が実行されなかった場合、その情報記録媒体を使用不能とし、不都合が生じないようにすると同時に、また、該記録媒体の正常な初期化処理を行うことが可能となる。
【００５３】
次に、本実施例のカメラにおけるデータ消去処理について説明する。
【００５４】
従来のカメラ等の画像記録再生装置におけるデータ領域に記録されるデータファイルとしては、図１１，１２，１３のフォーマットに示すような３種類のファイルが作成される。図１１に示すフォーマットのデータファイルは、１コマの画像データファイルを示し、記録日時，フィールド／フレーム等のヘッダ情報と圧縮画像データである画像データとで構成される。図１２は、音声記録可能なカメラにおいて生成されるファイルである１コマの音声データファイルのフォーマットを示し、ヘッダ情報と圧縮音声データである音声データとで構成される。また、図１３は、１ディレクトリエントリに対応する画像ファイルと音声ファイル等の組み合わせの関係を示すリレーションデータファイルのフォーマットを示し、規格情報が記録されるヘッダ情報とファイル相互間の関連情報が記録されるリレーション情報とで構成されている。
【００５５】
さて、本実施例におけるデータの消去処理においては、上記画像ファイルの１コマ消去と音声ファイルの１コマ消去が可能であるが、更に、リレーションファイルのデータに基づいて画像ファイルとともに、該画像ファイルに対応する音声ファイルを一括して消去することが可能である。
【００５６】
勿論、画像ファイルの全コマ消去、また、音声ファイルの全コマ消去も可能である。
【００５７】
なお、本実施例のカメラにおいて、再生時での１コマ消去を行う場合のキーの操作としては、切り換えスイッチ４６を「ＰＬＡＹ」側に切り換え、ＶＩＥＷスイッチと兼用のＥＲＡＳＥスイッチ３６を押圧しながらレリーズスイッチ４５を操作して消去を実行する。
【００５８】
一方、記録後に直前の記録画像データを再生する、所謂、レックレビュー再生機能があるが、この再生機能は、切り換えスイッチ４６はＣＡＭＥＲＡ側のままで、ビュー（ＶＩＥＷ）スイッチと兼用のＥＲＡＳＥスイッチ３６を押圧している間、上記レックレビュー再生機能が働く。そこで、該レックレビュー再生の画像データを消去する場合は、そのままレリーズスイッチ４５を押圧すればよい。
【００５９】
このように、本実施例のカメラにおいては、上述のようにＶＩＥＷスイッチとＥＲＡＳＥスイッチとを兼用していることから、上記通常の再生時の１コマ消去動作と、レックレビュー再生データの消去動作が同じような操作で実行でき、使用者に違和感を抱かせることがない。
【００６０】
本実施例のカメラにおいては、前述したようにデータ領域に記録されるものとして画像データファイル以外に音声データ，リレーションデータ，パソコン用データ等のファイルが記録される。通常の再生時には、それら画像データファイル以外のファイルのデータと未記録データ部も含めて黒のミュート画面として再生される。そこで、本実施例では、画像データファイル以外のデータを再生中であることを知らせるため、オンスクリーン表示、および、ＬＣＤ表示部１７に該当するコマＮＯ．を点滅表示させる。
【００６１】
また、音声データ，リレーションデータ，未記録部等のデータの違いにより点滅の速さを異ならせることも可能である。あるいは、ミュート画面の色を上記データの違いにより異ならせることも可能である。例えば、未記録部は黒ミュート、音声ファイルは青ミュート、パソコン用ファイルは、赤ミュート等にすることによって、使用者は一目で識別できる。
【００６２】
また、再生時において、未記録ファイルや音声ファイル等画像ファイル以外を読み飛ばして再生することも可能である。このような再生によると使用者は、意味のない未記録コマのミュート画面などを見る必要がなく、能率的に検索することができる。
【００６３】
即ち、所定の間隔での再生処理として、画像データを高速でサーチするための連続再生と、一定時間毎の再生画像を送るインターバル再生とがあるが、この高速サーチ処理は、高速検索やデモンストレーション時に使用される機能であって、画像データ以外は再生する必要がない。従って、これらの機能が働いているときには、上記音声ファイル，未記録ファイル等はスキップして画像ファイルのみを再生することによって非常に使い勝手をよくすることができる。
【００６４】
次に、本実施例のカメラにおける各種記録処理について説明する。
【００６５】
前述したように、１コマの画像データファイルには、その画像データのデータ形式等を記録するためにヘッダ情報が付加されている。本実施例のカメラでは、このヘッダに、カメラの撮影情報、例えば、シャッタスピード，露出情報，ＷＢ（ホワイトバランス）情報，色調整情報，フォーカス段数情報，ストロボ感光情報等を記録している。従って、フルオートで撮影したときであっても、撮影後、上記ヘッダ情報を参照することによって、上記各種の撮影情報を知ることでができる。
【００６６】
更に、上記ヘッダに記録されている撮影情報に基づき撮影条件を設定して撮影を行うこともできるが、その撮影処理について、図５，６のフローチャートによって説明する。
【００６７】
図５のフローチャートにおいて、ステップＳ１１において、切り換えスイッチ４６を「ＰＬＡＹ」側に切り換え、再生モードに設定する。そして、ＵＰ／ＤＯＷＮスイッチ３３，３４を操作して、撮影条件を参照しようとする画像の再生コマを表示させ、ＰＩＣＴＵＲＥスイッチ４０により該コマＮＯ．を指定する。ステップＳ１２にて、サブルーチン「撮影モードのセット」処理が呼び出され、実行される。
【００６８】
該サブルーチン「撮影モードのセット」においては、図６に示すように該当するコマの画像ファイルのヘッダ情報からシャッタスピード，露出情報等の撮影情報を読み出し、その撮影情報に基づいて撮影条件がセットされる（ステップＳ２１，２２）。
【００６９】
その後、図５のステップＳ１３において、切り換えスイッチ４６を「ＣＡＭＥＲＡ」側に切り換え、カメラを撮影モードに設定する。ステップＳ１４にて、すでにセットされている撮影条件での撮影を実行する。
【００７０】
このようにして、過去の撮影画面での撮影条件を複雑な設定操作もなく再現でき、また、別の撮影者による撮影済みのメモリカードがあれば、その撮影画面の撮影条件をそのまま適用することも可能である。
【００７１】
つぎに、本実施例のカメラによるインターバル撮影について説明する。
【００７２】
従来の電子スチルカメラシステムによるインターバル撮影は知られている撮影方法であるが、このインターバル撮影においては、撮影期間中、電源はオン状態が保たれていた。電源が電池であるシステムでは、消費電力量が大きいことから長い時間のインターバル撮影は困難であった。
【００７３】
インターバル撮影の期間中、必ずしも常時オン状態を保つ必要はないことから、本実施例のカメラにおいては、撮影の待ち時間中は、パワーオフに近いスタンバイ状態として、電力の消費を抑えるようにした。そして、撮影毎の数十秒前にパワーオンとして、撮影に備える。この撮影準備時間にストロボチャージ，オートＷＢ等の処理を行うことになる。また、インターバル撮影中はズーミングを禁止し、撮影画角が変化してフォーカシングがずれることを防止している。
【００７４】
また、インターバル時間は従来一定に決められていたものが多かったが、本実施例のものは、あるインターバル時間をプリセット値として保有しておき、その値をＵＰ／ＤＯＷＮスイッチ３３，３４等によって細かく変化させて書き換えることができる。該設定値はシステムコントローラ１９を介して設定用メモリ２１に記憶される。そして、同じようなインターバル撮影を行う場合、いちいち面倒な操作をすることなく、上記設定用メモリ２１に記憶される値を読み出し、容易にインターバル時間を設定することができる。なお、パワーオフ状態にしてもこの設定値データは保持される。
【００７５】
図７は、上記インターバル撮影のサブルーチンのフローチャートである。
【００７６】
本撮影処理においては、ステップＳ３１にて撮影開始指示を確認し、ステップＳ３２にて１コマ目の撮影を実行する。その直後、カメラはスタンバイ状態に移行し、同時にズーム駆動を禁止状態とする（ステップＳ３３）。ステップＳ３４でインターバル設定時間より数十秒少ない所定の時間が経過するのを待ち、その時間の経過後、ステップＳ３５で電源オンの状態とする。そして、ステップＳ３６でストロボチャージとオートＷＢ処理を行って、ステップＳ３７に進み、インターバル時間が経過するのを待ち、ステップＳ３８で撮影を開始する。ステップＳ３９で所定のコマ数の撮影終了、または、撮影時間の経過をチェックし、撮影が終了するまではステップＳ３３に戻る。
【００７７】
上記インターバル撮影の処理は、同様にインターバル再生にも当てはめることができる。即ち、切り換えスイッチ４６を再生モードに切り換える。ＤＲＩＶＥスイッチ４１によりインターバル再生を指定する。また、ズームスイッチ３１，３２を操作して、インターバル時間を秒単位で設定する。この設定時間は、前記設定用メモリ２１に記憶され、パワーオフ状態にしても上記設定値は、保持される。そして、再度インターバル再生を実行するときに参照する。
【００７８】
なお、上記のインターバル再生においては、普通数秒であるインターバル時間そのものを可変としたが、一時的に高速検索コマ送りを実行するために、上記設定インターバル時間を変化させることなく、ワンタッチでインターバル時間を短くすることができるように構成すると更に使い勝手のよいカメラとすることができる。上記ワンタッチ操作を、例えば、ＵＰ／ＤＯＷＮスイッチ３３，３４の操作によって行うようにして、該スイッチ３３，３４を押圧することによってコマ送りのスピードの一時的な高速処理ができる。
【図面の簡単な説明】
【００７９】
【図１】本発明の第１実施例を示す電子スチルカメラのブロック構成図である。
【図２】上記図１のカメラの外観を示す平面図である。
【図３】上記図２のＡ矢視図である。
【図４】上記図１のカメラにおける「メモリカードの初期化」処理のフローチャートである。
【図５】上記図１のカメラにおける「記憶データに基づく撮影処理」のフローチャートである。
【図６】上記図５の「記憶データに基づく撮影処理」中でコールされるサブルーチン「撮影データのセット」処理のフローチャートである。
【図７】上記図１のカメラにおける「インターバル撮影」処理のフローチャートである。
【図８】従来の情報取り扱い装置に適用されるメモリカードのメモリ領域の構成を示す図である。
【図９】上記図８のメモリカードのブートセクタのフォーマットを示す図である。
【図１０】従来の情報取り扱い装置における「メモリカードの初期化」処理のフローチャートである。
【図１１】従来の情報取り扱い装置に適用されるメモリカードのデータ領域のうち画像データの構成を示す図である。
【図１２】従来の情報取り扱い装置に適用されるメモリカードのデータ領域のうち音声データの構成を示す図である。
【図１３】従来の情報取り扱い装置に適用されるメモリカードのデータ領域のうちリレーションデータの構成を示す図である。
【図１４】従来のビデオカメラのＷＢ調整の処理に適用されるカラーベクトル平面上のＩ軸特性を示す図である。
【符号の説明】
【００８０】
１９ システムコントローラ（管理情報判別手段，管理情報の初期化手段，管理情報復元手段）
１０１ ブートセクタ（第１の管理情報領域）
１０２ ＦＡＴ領域（第２の管理情報領域）
１０３ ディレクトリ領域（第２の管理情報領域）
１０４ データ領域（主情報領域）
ステップＳ２ 管理情報判別手段
ステップＳ３，４，５ 管理情報の初期化手段
ステップＳ６ 管理情報復元手段
代理人    弁理士    伊藤  進
【図１】
0003709412.tif 000002
【図２】
0003709412.tif 000003
【図３】
0003709412.tif 000004
【図４】
0003709412.tif 000005
【図５】
0003709412.tif 000006
【図６】
0003709412.tif 000007
【図７】
0003709412.tif 000008
【図８】
0003709412.tif 000009
【図９】
0003709412.tif 000010
【図１０】
0003709412.tif 000011
【図１１】
0003709412.tif 000012
【図１２】
0003709412.tif 000013
【図１３】
0003709412.tif 000014
【図１４】
0003709412.tif 000015